(57)【要約】【課題】装置内の複雑な走行路に沿ってテープを容易に設置し得るようにする。【解決手段】現金自動預払機１の一時保留部１５は、保守状態において、第１経路孔４８及び第２経路孔６８の上流側及び下流側にそれぞれ十分に大きい空間を形成すると共に、該第１経路孔４８及び第２経路孔６８を介して上流側及び下流側の空間をそれぞれ直線的に連通させた。このため保守作業者は、第１経路孔４８及び第２経路孔６８を前側又は後側から目視しながら指先等をその近傍に到達させ、テープ３３の先端部分を容易に且つ確実に挿通させることができる。これにより一時保留部１５では、保守作業者による第１経路孔４８及び第２経路孔６８に対するテープ３３の挿通作業を極めて短い時間で完了させることができる。【選択図】図８
2018005753.tif 000002
【特許請求の範囲】
【請求項１】
円筒状の周側面を有するドラムと、
紙葉状の媒体と共に前記ドラムの前記周側面に巻き付けられるテープと、
前記テープが巻回されるリールと、
前記リールから引き出された前記テープを走行させて前記ドラムの前記周側面に到達させる経路である走行経路において、前記テープと当接して該テープの進行方向を変化させる転向ローラと、
前記走行経路上に設けられ、前記転向ローラ及び他の部品により該走行経路の周囲が囲まれた経路孔と、
前記テープが前記走行経路に沿って前記ドラム又は前記リールへ向けて走行する動作時には、前記テープを走行させるためのテープ走行部品及び前記経路孔を、該テープを前記走行経路に沿って走行させる位置である動作位置に支持し、前記テープが前記走行経路に沿って設置されるテープ設置作業時には、前記媒体を案内する媒体案内部、前記テープ走行部品及び前記経路孔のうち少なくとも一部を前記動作位置から変位させることにより、前記走行経路に関する前記経路孔の一方側に、外部と連通された一方側作業空間を形成する変位支持部と
を具えることを特徴とする媒体収納装置。
【請求項２】
前記変位支持部は、前記テープ設置作業時に、前記走行経路に関する前記経路孔の他方側に、外部と連通された他方側作業空間を形成する
ことを特徴とする請求項１に記載の媒体収納装置。
【請求項３】
前記一方側作業空間及び前記他方側作業空間は、前記経路孔を通過する直線に沿って互いに連通されている
ことを特徴とする請求項２に記載の媒体収納装置。
【請求項４】
前記一方側作業空間は、前記走行経路上における前記リール側を上流側とし前記ドラム側を下流側とした場合における前記経路孔の下流側に形成される
ことを特徴とする請求項１に記載の媒体収納装置。
【請求項５】
前記転向ローラを回転可能且つ着脱可能に支持する転向ローラ支持部
をさらに具え、
前記転向ローラは、前記テープ設置作業時に前記転向ローラ支持部から取り外されることにより、前記経路孔における周囲の一部を開放する
ことを特徴とする請求項１に記載の媒体収納装置。
【請求項６】
前記変位支持部は、前記リール及び前記転向ローラをそれぞれ回転可能に支持する
ことを特徴とする請求項１に記載の媒体収納装置。
【請求項７】
前記変位支持部は、前記ドラムを回転可能に支持する本体部に対し着脱可能である
ことを特徴とする請求項６に記載の媒体収納装置。
【請求項８】
前記変位支持部は、前記リールを回転可能且つ着脱可能に支持する
ことを特徴とする請求項６に記載の媒体収納装置。
【請求項９】
複数の前記リールをそれぞれ回転可能に支持するリール軸をさらに具え、
前記変位支持部は、前記リール軸を着脱自在に支持し、
複数の前記リールは、前記リール軸に対し各々独立して着脱可能である
ことを特徴とする請求項８に記載の媒体収納装置。
【請求項１０】
前記ドラムはドラム回転軸を中心に回転し、
前記変位支持部は、前記ドラムの前記周側面から引き剥がされた前記テープを折り返して再び該周側面に到達させる前記転向ローラを回転可能に支持すると共に、前記ドラム回転軸を中心に回動することにより、該転向ローラを前記動作位置から変位させる
ことを特徴とする請求項１に記載の媒体収納装置。
【請求項１１】
利用者との間で取引すべき紙葉状の媒体を搬送する搬送部と、
前記搬送部から受け取った前記媒体を収納し、該媒体を繰り出して前記搬送部に引き渡す媒体収納部と
を具え、
前記媒体収納部は、
円筒状の周側面を有するドラムと、
前記媒体と共に前記ドラムの前記周側面に巻き付けられるテープと、
前記テープが巻回されるリールと、
前記リールから引き出された前記テープを走行させて前記ドラムの前記周側面に到達させる経路である走行経路において、前記テープと当接して該テープの進行方向を変化させる転向ローラと、
前記走行経路上に設けられ、前記転向ローラ及び他の部品により該走行経路の周囲が囲まれた経路孔と、
前記テープが前記走行経路に沿って前記ドラム又は前記リールへ向けて走行する動作時には、前記テープを走行させるためのテープ走行部品及び前記経路孔を、該テープを前記走行経路に沿って走行させる位置である動作位置に支持し、前記テープが前記走行経路に沿って設置されるテープ設置作業時には、前記媒体を案内する媒体案内部、前記テープ走行部品及び前記経路孔のうち少なくとも一部を前記動作位置から変位させることにより、前記走行経路に関する前記経路孔の一方側に、外部と連通された一方側作業空間を形成する変位支持部と
を具えることを特徴とする媒体取引装置。
【発明の詳細な説明】
【技術分野】
【０００１】
本発明は媒体収納装置及び媒体取引装置に関し、例えば顧客に紙幣等の媒体を投入させて所望の取引を行う現金自動預払機（ＡＴＭ）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出してその金種を鑑別部により再鑑別し、鑑別された金種に応じて各紙幣カセットへ収納する。
【０００５】
一時保留部としては、例えば回転する円筒状のドラムと、当該ドラムの周側面に一端が固定された長いテープと、このテープが巻回されるリールと、テープを所定の走行経路に沿って走行させる複数のローラ等と、紙幣を搬送路に沿って案内するガイドとを有するものがある。この一時保留部は、ドラムの周側面にテープと共に紙幣を巻き付けることで当該紙幣を収納し、また当該周側面から紙幣を引き剥がして繰り出すようになっている（例えば、特許文献１参照）。
【０００６】
この一時保留部では、リールとドラムとの間でテープに適切な張力を加えることにより、当該テープを複数のローラにより適宜折り返しながら所定の走行経路に沿って走行させる。これにより一時保留部では、紙幣を搬送路に沿って進行させること、及びドラムの周側面に紙幣を適切に巻き付け、又は引き剥がすことができる。
【先行技術文献】
【特許文献】
【０００７】
【特許文献１】特開２０１５−１４６１６７号公報（図３〜図５等）
【発明の概要】
【発明が解決しようとする課題】
【０００８】
ところで上述した一時保留部は、紙幣の確実な収納及び繰出を実現しながらも、リール等の配置を工夫することにより、できるだけ小型に構成されている。しかしながら一時保留部では、このようなリール等の配置に伴い、筐体の内部におけるテープの走行経路が比較的複雑なものになっている。
【０００９】
このため一時保留部では、例えば保守作業等においてテープが交換される場合に、保守作業者によって、リールから引き出されたテープを、該テープの走行経路に沿ってドラムの周側面まで順次引き回させることになる。このとき一時保留部では、例えば極めて狭い箇所や大きく屈曲された箇所にテープを挿通させるといった、難易度の高い作業が発生することになる。
【００１０】
すなわち一時保留部では、保守作業者にテープを走行経路に沿って設置させる場合に、高度な技能を要求し、或いは専用の治具が必要となり、また作業に長い時間がかかる等、作業性が悪いという問題があった。
【００１１】
本発明は以上の点を考慮してなされたもので、複雑な走行路に沿ってテープを容易に設置し得る媒体収納装置及び媒体取引装置を提案しようとするものである。
【課題を解決するための手段】
【００１２】
かかる課題を解決するため本発明の媒体収納装置においては、円筒状の周側面を有するドラムと、紙葉状の媒体と共にドラムの周側面に巻き付けられるテープと、テープが巻回されるリールと、リールから引き出されたテープを走行させてドラムの周側面に到達させる経路である走行経路において、テープと当接して該テープの進行方向を変化させる転向ローラと、走行経路上に設けられ、転向ローラ及び他の部品により該走行経路の周囲が囲まれた経路孔と、テープが走行経路に沿ってドラム又はリールへ向けて走行する動作時には、テープを走行させるためのテープ走行部品及び経路孔を、該テープを走行経路に沿って走行させる位置である動作位置に支持し、テープが走行経路に沿って設置されるテープ設置作業時には、媒体を案内する媒体案内部、テープ走行部品及び経路孔のうち少なくとも一部を動作位置から変位させることにより、走行経路に関する経路孔の一方側に、外部と連通された一方側作業空間を形成する変位支持部とを設けるようにした。
【００１３】
また本発明の媒体取引装置においては、利用者との間で取引すべき紙葉状の媒体を搬送する搬送部と、搬送部から受け取った媒体を収納し、該媒体を繰り出して搬送部に引き渡す媒体収納部とを具え、媒体収納部は、円筒状の周側面を有するドラムと、媒体と共にドラムの周側面に巻き付けられるテープと、テープが巻回されるリールと、リールから引き出されたテープを走行させてドラムの周側面に到達させる経路である走行経路において、テープと当接して該テープの進行方向を変化させる転向ローラと、走行経路上に設けられ、転向ローラ及び他の部品により該走行経路の周囲が囲まれた経路孔と、テープが走行経路に沿ってドラム又はリールへ向けて走行する動作時には、テープを走行させるためのテープ走行部品及び経路孔を、該テープを走行経路に沿って走行させる位置である動作位置に支持し、テープが走行経路に沿って設置されるテープ設置作業時には、媒体を案内する媒体案内部、テープ走行部品及び経路孔のうち少なくとも一部を動作位置から変位させることにより、走行経路に関する経路孔の一方側に、外部と連通された一方側作業空間を形成する変位支持部とを設けるようにした。
【００１４】
本発明では、変位支持部により、動作時にはテープ走行部品及び経路孔を動作位置に位置させる一方、テープ設置作業時には媒体案内部、テープ走行部品及び経路孔のうち少なくとも一部を変位させて経路孔の一方側に一方側作業空間を形成することができる。これにより本発明では、動作時にはテープを走行経路に沿って走行させることができ、テープ設置作業時には作業者が一方側作業空間においてテープを把持した手先等を経路孔に近接させながら、該テープを該経路孔に挿通させることができる。
【発明の効果】
【００１５】
本発明によれば、複雑な走行路に沿ってテープを容易に設置し得る媒体収納装置及び媒体取引装置を実現できる。
【図面の簡単な説明】
【００１６】
【図１】現金自動預払機の外観構成を示す略線的斜視図である。
【図２】紙幣入出金機の構成を示す略線図である。
【図３】搬送部の構成を示す略線図である。
【図４】第１の実施の形態による一時保留部の動作状態を示す略線図である。
【図５】リールアセンブリの構成を示す略線的斜視図である。
【図６】可動ガイドの構成を示す略線的斜視図である。
【図７】動作状態におけるテープの走行経路を示す略線的斜視図である。
【図８】第１の実施の形態による一時保留部の保守状態を示す略線図である。
【図９】第２の実施の形態による一時保留部の保守状態を示す略線図である。
【発明を実施するための形態】
【００１７】
以下、発明を実施するための形態（以下実施の形態とする）について、図面を用いて説明する。
【００１８】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金処理や出金処理等の現金に関する取引を行うようになっている。
【００１９】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００２０】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞するようになっている。因みに紙幣は、例えば長方形の紙により、紙葉状に形成されている。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２３】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２４】
紙幣入出金機１０は、図２に側面図を示すように、内部に媒体としての紙幣に関する種々の処理を行う複数の部分が組み込まれている。紙幣入出金機１０は、大きく分けて、上下方向のほぼ中央よりも上側部分を占める上部ユニット１０Ｕと、その下側部分を占める下部ユニット１０Ｌとにより構成されている。
【００２５】
上部ユニット１０Ｕには、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。
【００２６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２７】
入出金部１２は、上部ユニット１０Ｕ内における前上部に位置している。この入出金部１２は、利用者から受け取った紙幣及び利用者へ引き渡す紙幣を収容する収容器１２Ａを内部に有しており、その上方をシャッタ１２Ｂにより開閉し得るようになっている。収容器１２Ａ内には、複数の紙幣が紙面を前後方向に向けて集積された状態で収容される。この入出金部１２は、収容器１２Ａ内の紙幣を１枚ずつに分離して搬送部１３に引き渡し、また搬送部１３から受け取った紙幣を収容器１２Ａ内へ放出して集積させる。
【００２８】
搬送部１３は、上部ユニット１０Ｕ内における下端部分に位置しており、全体的に上下方向に薄く前後方向に細長い形状となっている。この搬送部１３内には、紙幣を案内する搬送ガイドや多数の回転するローラ等が適宜配置されており、紙幣の短辺を進行方向に沿わせて、主に前後方向へ搬送させるような直線状の搬送路が形成されている。
【００２９】
搬送部１３は、図３に拡大図を示すように、大きく分けて、中央付近に配置された一時保留切替部２０と、当該一時保留切替部２０の前側及び後側にそれぞれ配置された前搬送部２１及び後搬送部２２により構成されている。一時保留切替部２０は、紙幣制御部１１の制御に基づき、前搬送部２１、後搬送部２２及び一時保留部１５の間で紙幣を搬送するよう、紙幣の搬送経路を切り替える。
【００３０】
前搬送部２１内には、前方から順に、リジェクト切替部２４、鑑別部１４及び切替部２５が直列に配置されており、前後方向に沿った概ね直線状の前搬送路２１Ｙが形成されている。リジェクト切替部２４及び切替部２５は、それぞれ紙幣制御部１１の制御に基づき、紙幣の搬送経路を適宜切り替える。後搬送部２２内には、後方から順に、切替部２７、２８及び２９がほぼ直列に配置されており、前後方向に沿った概ね直線状の後搬送路２２Ｙが形成されている。また前搬送部２１及び後搬送部２２は、それぞれ搬送路中に数枚程度の紙幣を貯留し得るようになっている。
【００３１】
鑑別部１４は、前搬送部２１内に組み込まれており、紙幣の搬送経路上で入出金部１２と一時保留切替部２０との間に位置している。この鑑別部１４は、内部に厚みセンサ、イメージセンサ及び磁気センサといった複数種類のセンサが組み込まれており、搬送される紙幣の金種、真偽、正損（損傷しているか否か）等を認識し、その認識結果を紙幣制御部１１へ送出する。
【００３２】
媒体収納装置及び媒体収納部としての一時保留部１５（図２）は、いわゆるテープエスクロ方式を採用しており、円筒状のドラムの周側面に紙幣をテープと共に巻き付けることにより当該紙幣を収納し、またこの周側面から当該テープと共に紙幣を引き剥がすことにより該紙幣を繰り出す（詳しくは後述する）。
【００３３】
下部ユニット１０Ｌは、その全ての周側面が頑強な金庫筐体１０Ｓにより覆われている。この金庫筐体１０Ｓの内部には、後側から前側へ向けて、５個の紙幣収納庫１６並びにリジェクト庫１７が設けられている。因みに紙幣収納庫１６及びリジェクト庫１７は、金庫筐体１０Ｓに対し着脱可能に構成されている。
【００３４】
各紙幣収納庫１６は、上下方向に長い直方体状に形成されると共に内部に紙幣を集積して収納する空間を有している。また各紙幣収納庫１６は、それぞれ収納すべき紙幣の金種が予め設定されている。この紙幣収納庫１６は、搬送部１３から紙幣を受け取ると、これを内部に集積して収納する。また紙幣収納庫１６は、紙幣制御部１１から紙幣を繰り出す指示を受け付けると、集積している紙幣を１枚ずつに分離して繰り出し、搬送部１３に引き渡す。
【００３５】
リジェクト庫１７は、上下方向に長い直方体状に形成されると共に内部に紙幣を集積して収納する空間を有している。このリジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部に収納する。
【００３６】
［１−２．入金処理］
次に、現金自動預払機１により顧客との間で入金取引が行われる場合における、紙幣入出金機１０内での入金処理について説明する。紙幣入出金機１０は、入金処理において、紙幣制御部１１の制御に基づき、まず入金された紙幣の金種等を鑑別しながら枚数を計数する入金計数処理を行い、次に紙幣を適切な収納箇所へ搬送して収納する入金収納処理を行うようになっている。
【００３７】
具体的に紙幣制御部１１は、例えば顧客により操作表示部６（図１）を介して入金取引を開始する旨の操作入力を受け付けると、入金計数処理を開始し、顧客に入出金部１２の収容器１２Ａへ紙幣を投入させ、これを１枚ずつに分離して取り込み、搬送部１３へ順次引き渡す。搬送部１３は、入出金部１２から受け取った紙幣を前搬送部２１により後方へ順次搬送しながら、鑑別部１４により各紙幣を順次鑑別させ、一時保留切替部２０へ順次引き渡す。このとき鑑別部１４は、得られた鑑別結果を紙幣制御部１１へ送出する。
【００３８】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１１は、入金受入紙幣について、正常であり再利用可能な紙幣については金種ごとの各紙幣収納庫１６を、損傷の程度が大きいリジェクト紙幣についてはリジェクト庫１７を、それぞれ最終的な搬送先として決定する。
【００３９】
続いて紙幣制御部１１は、前搬送部２１から一時保留切替部２０へ引き渡される紙幣の判断結果に応じて、入金受入紙幣であれば一時保留部１５へ搬送して収納させ、入金リジェクト紙幣であれば後搬送部２２内へ進行させて後搬送路２２Ｙ内に貯留させる。やがて紙幣制御部１１は、入出金部１２の収容器１２Ａから全ての紙幣を取り込み終えると、後搬送部２２の後搬送路２２Ｙ内に入金リジェクト紙幣が貯留されていれば、これを顧客に返却する。これにより紙幣制御部１１は、紙幣を前搬送部２１経由で入出金部１２へ搬送して顧客に返却し、紙幣の状態を確認させ、必要に応じて再投入させる。一方、紙幣制御部１１は、後搬送部２２の後搬送路２２Ｙ内に入金リジェクト紙幣が貯留されていなければ、入金計数処理を完了する。
【００４０】
このとき紙幣制御部１１は、入出金部１２から取り込んだ紙幣の金種及び枚数の集計結果を基に入金額を算出すると共に、所定の操作指示画面を操作表示部６に表示し、この入金額を顧客に提示すると共に入金取引を継続するか否かを選択させる。ここで紙幣制御部１１は、顧客により入金取引の中止が指示された場合、一時保留部１５に保留している全ての紙幣を搬送部１３により入出金部１２へ搬送して顧客に返却する。
【００４１】
一方、紙幣制御部１１は、顧客により入金取引の継続が指示された場合、入金収納処理を開始する。具体的に紙幣制御部１１は、まず一時保留部１５において操出処理を開始し、収納している紙幣（入金受入紙幣）を順次繰り出し、一時保留切替部２０へ引き渡す。このとき紙幣制御部１１は、入金計数処理において決定された紙幣毎の搬送先に応じて、一時保留切替部２０や各切替部における紙幣の搬送経路を適宜切り替えることにより、各紙幣をそれぞれの搬送先へ搬送して収納させる。これにより紙幣制御部１１は、再利用すべき通常の紙幣を金種ごとに分類して各紙幣収納庫１６に収納でき、また再利用すべきで無いリジェクト紙幣をリジェクト庫１７に収納できる。
【００４２】
［１−３．一時保留部の構成］
次に、一時保留部１５の構成について、紙幣の収納動作や繰出動作を行い得る動作状態と、保守作業者により部品交換等の保守作業が行われる保守状態とに分けて、それぞれ説明する。
【００４３】
［１−３−１．動作状態における各部の構成］
一時保留部１５は、動作状態である場合、図４（Ａ）に左側面図を示すように、一時保留部筐体３０内にドラム３１、リール３２や複数のローラ等が設けられており、且つその周囲を他の部品により保護した構成となっている。因みに図４は、一時保留部１５を模式的に表しており、説明の都合上、一部の部品を透過させ、若しくは断面（斜線で示す）を表し、或いは省略している。
【００４４】
ドラム３１は、一時保留部筐体３０内における上下方向の中央よりもやや上側であって、前後方向の中央よりもやや前側に配置されており、中心軸を左右方向に沿わせた円筒状に構成されている。因みにドラム３１における左右方向の長さは、紙幣における長辺の長さ、すなわち左右方向の長さよりも十分に長くなっている。このドラム３１は、中心部分がドラム回転軸３１Ｘにより左右方向に貫通されており、図示しないモータから駆動力が供給されると、該ドラム回転軸３１Ｘを回転中心として、図中の時計回りとなる矢印Ｒ１方向又はその反対の矢印Ｒ２方向へ回転する。またドラム３１は、後述するように、周側面３１Ｓに紙幣を巻き付けることにより収納し、また該周側面３１Ｓから該紙幣が引き剥がされることにより繰り出す。このためドラム３１は、巻き付けられた紙幣の枚数に応じて、見かけ上の半径を変化させることになる。
【００４５】
一時保留部筐体３０内における後端近傍の下寄りには、該一時保留部筐体３０に対し着脱可能に構成された後部ユニット４０が組み込まれている。後部ユニット４０は、全体として中空の直方体状に構成されており、その前面の上側約半分及び上面が開放される一方、その他の部分が側壁部４１により閉塞されている。この後部ユニット４０は、該後部ユニット４０に対し着脱可能なリールアセンブリ４２を回転可能に支持している。
【００４６】
リールアセンブリ４２は、図５（Ａ）に模式的な斜視図を示すように、リール軸４３に対し、１個のギア４４と、左右方向に沿って並ぶ３個のリールユニット４５とが取り付けられている。リール軸４３は、中心軸を左右方向に沿わせた細長い円柱状に構成されており、後部ユニット４０に装着された状態において、該後部ユニット４０により回転可能に支持されている。
【００４７】
ギア４４は、リール軸４３の右端近傍に取り付けられており、リールアセンブリ４２が後部ユニット４０に装着され、さらに該後部ユニット４０が一時保留部筐体３０に装着された場合に、該一時保留部筐体３０側に設けられたリール駆動ギア３４（図４（Ａ））と噛み合うようになっている。このためギア４４は、図示しないモータによりリール駆動ギア３４が回転された場合、該リール駆動ギア３４との噛み合いにより駆動力が伝達され、リール軸４３と一体に回転する。
【００４８】
各リールユニット４５は、リール軸４３に対しそれぞれ独立して着脱可能に構成されている。各リールユニット４５は、図５（Ｂ）に示すように、リール取付部４６及びリール３２により構成されている。リール取付部４６は、円柱部４６Ａ及び円板部４６Ｂにより構成されている。
【００４９】
円柱部４６Ａは、中心軸を左右方向に沿わせた円柱状に構成されており、その外径がリール軸４３よりも十分に大きく（すなわち太く）なっている。また円柱部４６Ａは、その中心部分を左右方向に貫通する軸孔が形成されることにより、リール軸４３に挿通されるようになっている。さらに円柱部４６Ａの内部には、トルクリミッタが組み込まれている。このため円柱部４６Ａは、外周部分に対し所定の閾値未満の力（トルク）が作用する場合にはリール軸４３と一体に回転させる一方、この外周部分に対し閾値以上の力（トルク）が作用する場合には該リール軸４３と一体に回転せず、空回りする。
【００５０】
円板部４６Ｂは、中心軸を円柱部４６Ａと共有すると共に左右方向に薄い円板状に構成されており、円柱部４６Ａの外周部分における左端に固定されている。円板部４６Ｂにおける最外周近傍には、切欠や孔部が適宜形成されている。
【００５１】
リール３２は、中心軸を左右方向に向けた糸巻き状に構成されており、左右方向の長さがドラム３１の１／３乃至１／４程度となっている。このリール３２における中心部分には、左右方向に貫通する取付孔が形成されている。このためリール３２は、この取付孔をリール取付部４６の円柱部４６Ａに挿通させることにより、該リール取付部４６に取り付けられて一体化する。
【００５２】
因みにリール取付部４６は、樹脂材料による成型部品として構成されており、円柱部４６Ａに弾性変形可能な爪部（図示せず）が形成されている。このためリール取付部４６は、この爪部を弾性変形することにより、リール３２を容易に着脱し得ると共に、該リール３２が取り付けられた状態を維持できる。またリール取付部４６における円柱部４６Ａの外周面及びリール３２の取付孔における内周面には、互いに係合する形状でなる係合部（図示せず）がそれぞれ形成されている。このためリール取付部４６は、円柱部４６Ａの外周部分及び円板部４６Ｂに対しリール３２を空回りさせること無く、一体化された状態を維持することができる。
【００５３】
さらに、一時保留部筐体３０（図４（Ａ））内におけるリールアセンブリ４２の上側には、３個のリール取付部４６とそれぞれ対応する３箇所に、光学センサがそれぞれ取り付けられている。各光学センサは、円板部４６Ｂの外周近傍に左右方向に沿った検知光を照射すると共に、該円板部４６Ｂを通過した検知光の受光結果に応じた受光信号を生成する。このため一時保留部１５は、各光学センサから得られる受光結果を基に、各リール取付部４６及びそれぞれ取り付けられたリール３２の回転数や回転速度等を検出できる。
【００５４】
各リール３２（図５（Ｂ））には、それぞれテープ３３が巻回されている。テープ３３は、可撓性を有する樹脂材料により十分に薄いフィルム状に構成されており、左右方向（すなわち幅方向であり短手方向）の長さが数［ｃｍ］程度である一方、長手方向の長さが例えば数十［ｍ］程度のように細長い形状に形成されている。このテープ３３は、長手方向に関する一端（以下これをリール側端部とも呼ぶ）がリール３２における円筒状部分の周側面に固定された上で、上述したように該円筒状部分の周囲に巻き付けられている。
【００５５】
このため各リール３２は、テープ３３におけるリール側端部の反対側（以下これをドラム側端部とも呼ぶ）がリール軸４３から離れる方向へ引っ張られた場合、所定の回転方向（例えば図４（Ａ）における矢印Ｒ１方向）へ回転しながら、該テープ３３が順次引き出されていく。また各リール３２は、リール軸４３が矢印Ｒ２方向へ、すなわちテープ３３が引き出された場合と反対の方向へ回転された場合、該リール軸４３と共に矢印Ｒ２方向へ回転してテープ３３を巻き取っていく。
【００５６】
なお説明の都合上、以下では、３個のリール３２（図５（Ａ））のうち左右方向の中央に配置されたものを中リール３２Ｃとも呼び、またその左右両側にそれぞれ配置されたものをそれぞれ外リール３２Ｕとも呼ぶ。さらに以下では、中リール３２Ｃ及び各外リール３２Ｕにそれぞれ巻き付けられたテープ３３を、それぞれ中テープ３３Ｃ及び外テープ３３Ｕとも呼ぶ。
【００５７】
また一時保留部筐体３０（図４）内には、紙幣を案内する複数の部材により、前下側とドラム３１の周側面における後側部分とを結ぶようにして、紙幣を搬送すべき紙幣搬送路１５Ｗが形成されている。紙幣搬送路１５Ｗは、鉛直方向に対し上端をやや後側に位置させるように傾斜した、すなわち前下側及び後上側を結ぶように傾斜した直線状となっている。
【００５８】
紙幣搬送路１５Ｗの前下側部分には、前下搬送ガイド３５が設けられている。前下搬送ガイド３５は、一時保留部筐体３０に対し固定されており、後側乃至下側の湾曲された側面を案内面として紙幣を案内するようになっている。また前下搬送ガイド３５には、図示しない搬送ローラが、その一部を案内面から露出させた状態で組み込まれている。この搬送ローラは、回転することにより紙幣に駆動力を伝達し、紙幣搬送路１５Ｗに沿って紙幣を進行させる。
【００５９】
一方、ドラム３１の下側には、オープンガイド５０が位置している。オープンガイド５０は、左右の両端から上方へ向けて延設された支持アーム５１により支持されると共に、ドラム回転軸３１Ｘを中心として回動し得るように構成されている。このためオープンガイド５０は、図４（Ａ）に示したようにドラム３１の下側（以下、この位置を動作位置と呼ぶ）から前上側に持ち上げられた場合、該ドラム３１の前側に移動することができる（詳しくは後述する）。
【００６０】
オープンガイド５０における後側面には、媒体案内部としてのオープン搬送ガイド５２が設けられている。このオープン搬送ガイド５２における後側部分は、紙幣搬送路１５Ｗの前側における中央部分に位置しており、該紙幣搬送路１５Ｗに沿って前下側と後上側とを結ぶように傾斜した平面状となっている。これによりオープン搬送ガイド５２は、後側の平坦な側面を案内面として、紙幣を紙幣搬送路１５Ｗに沿って案内することができる。
【００６１】
因みにオープンガイド５０における上側面には、ドラム３１と対向するオープン対向ガイド５３が設けられている。このオープン対向ガイド５３は、ドラム３１の周側面３１Ｓに応じてやや湾曲した面として形成されている。
【００６２】
紙幣搬送路１５Ｗの後側であって、該紙幣搬送路１５Ｗを挟んで前下搬送ガイド３５及びオープン搬送ガイド５２と対向する箇所には、後下搬送ガイド３６が設けられている。後下搬送ガイド３６は、前下搬送ガイド３５と同様に一時保留部筐体３０に固定されており、前側乃至下側の側面を案内面として紙幣を案内するようになっている。また後下搬送ガイド３６には、前下搬送ガイド３５と同様に、図示しない搬送ローラが、その一部を案内面から露出させた状態で組み込まれている。
【００６３】
後下搬送ガイド３６の上側には、可動ガイド６０が配置されている。可動ガイド６０は、全体として、紙幣搬送路１５Ｗの後側における後下搬送ガイド３６よりも上側の部分からドラム３１の後側乃至上側の部分までの範囲に渡り、該ドラム３１の周側面に応じて湾曲された板状の本体部６１を中心に構成されている。この可動ガイド６０は、本体部６１の下端近傍に設けられた回動軸６２が一時保留部筐体３０によって回動可能に支持されており、該回動軸６２を中心として、本体部６１の上側を前方又は後方へ移動させるようにして回動することができる。
【００６４】
図６に斜視図を示すように、可動ガイド６０における上下方向の中央よりもやや上側には、ドラム当接ローラ６３が設けられている。ドラム当接ローラ６３は、中心軸を左右方向に沿わせた小さな円柱状に構成されており、左右の両側面における中心部分には、左右の外方へ向けて、さらに小さな円柱状でなる軸６３Ｘがそれぞれ設けられている。この軸６３Ｘは、可動ガイド６０により支持されている。このためドラム当接ローラ６３は、軸６３Ｘを中心として自在に回転することができる。
【００６５】
また可動ガイド６０（図４（Ａ））は、スプリング６４により前方向に付勢されている。これにより可動ガイド６０は、ドラム当接ローラ６３をドラム３１の周側面に巻き付けられた中テープ３３Ｃに当接させることができる。
【００６６】
さらに可動ガイド６０は、ドラム３１が回転した場合、ドラム当接ローラ６３を回転させることにより、ドラム３１の周側面に巻き付けられた中テープ３３Ｃとの間に摩擦を生じること無く、該ドラム当接ローラ６３を当接させた状態を維持できる。また可動ガイド６０は、ドラム３１が巻き付けられた紙幣の枚数に応じて見かけ上の半径を変化させた場合にも、これに追従するように回動し、該ドラム当接ローラ６３を当接させた状態を維持できる。
【００６７】
因みに可動ガイド６０（図６）における下端近傍には、自在に回転するローラ６５が組み込まれている。このローラ６５は、その前端近傍を本体部６１の前面よりも前側に、すなわち紙幣搬送路１５Ｗ内に位置させている。ローラ６５は、紙幣搬送路１５Ｗ内を搬送される紙幣と当接して回転することにより、該紙幣との間に摩擦を生じること無く、紙幣搬送路１５Ｗに沿って該紙幣を案内することができる。
【００６８】
一時保留部筐体３０（図４（Ａ））におけるドラム３１の上側乃至前側には、該ドラム３１を外部から保護する前側ガイド７０が設けられている。前側ガイド７０は、全体としてドラム３１の周側面３１Ｓに応じて湾曲された板状に形成されており、該周側面３１Ｓとの間に、十分な空間を形成している。これにより前側ガイド７０は、周側面３１Ｓに紙幣が巻き付けられてドラム３１の見かけ上の半径が増加した場合にも、その最外周面と当接しないようになっている。
【００６９】
また前側ガイド７０は、その上後側の端部近傍に回動軸７１が設けられると共に、その前下側の端部近傍にリンク軸７２が設けられている。回動軸７１は、一時保留部筐体３０内に設けられた支持部３７により、回動可能に支持されている。リンク軸７２は、オープンガイド５０における左右の側板５４に形成されたリンク溝５５に挿通されている。
【００７０】
さらに一時保留部１５には、一時保留部筐体３０（図４（Ａ））の内部に、テープ３３の進行方向を変化させる３個の第１転向ローラ８１、３個の第２転向ローラ８２、並びに１個の第３転向ローラ８３が設けられている。
【００７１】
第１転向ローラ８１は、ドラム当接ローラ６３（図６）と同様、中心軸を左右方向に沿わせた小さな円柱状に形成されており、その左右の両側面における中心部分に、さらに小さな円柱状でなる軸８１Ｘがそれぞれ立設されている。後部ユニット４０は、３個のリール３２それぞれの前側となる箇所において、３本のテープ３３とそれぞれ対応する３個の第１転向ローラ８１における軸８１Ｘを、それぞれ支持している。
【００７２】
また後部ユニット４０（図４（Ａ））は、側壁部４１のうち前側部分を構成する前側壁部４１Ｆの上端を、第１転向ローラ８１の下端よりも下側に位置させることにより、該前側壁部４１Ｆ及び該第１転向ローラ８１の間に比較的狭い隙間を形成している。この隙間は、第１転向ローラ８１及び側壁部４１によりその周囲が囲まれた孔と見なすこともでき、後述するようにテープ３３の走行経路上に位置している。以下では、この隙間を第１経路孔４８と呼ぶ。
【００７３】
第２転向ローラ８２は、可動ガイド６０における上下方向の中央よりもやや下側に設けられている。すなわち第２転向ローラ８２は、第１転向ローラ８１のほぼ真上に位置している。この第２転向ローラ８２は、第１転向ローラ８１と同様、中心軸を左右方向に沿わせた小さな円柱状に形成されており、その左右の両側面における中心部分に、さらに小さな円柱状でなる軸８２Ｘがそれぞれ立設されている。
【００７４】
可動ガイド６０（図６）の本体部６１は、前後方向に貫通する転向ローラ保持孔６７が形成されており、この転向ローラ保持孔６７に各第２転向ローラ８２をそれぞれ入り込ませた状態で、軸８２Ｘを支持している。これにより各第２転向ローラ８２は、その前端近傍を本体部６１の前面よりも前側に位置させ、紙幣搬送路１５Ｗ（図４（Ａ））内に露出させている。
【００７５】
また本体部６１における各第２転向ローラ８２の下側には、本体部６１を前後方向に貫通すると共に各転向ローラ保持孔６７と連通された第２経路孔６８がそれぞれ形成されている。第２経路孔６８における左右方向の長さは、テープ３３における左右方向の長さ（すなわちテープ幅）よりも十分に長くなっている。
【００７６】
第３転向ローラ８３は、オープンガイド５０（図４（Ａ））における後上側の頂点近傍に設けられている。すなわち第３転向ローラ８３は、ドラム３１のほぼ真下に位置している。この第３転向ローラ８３は、第１転向ローラ８１等と同様、中心軸を左右方向に沿わせた小さな円柱状に形成されており、その左右の両側面における中心部分に、さらに小さな円柱状でなる軸８３Ｘがそれぞれ立設されている。
【００７７】
またオープン搬送ガイド５２の上端よりもやや下側には、転向ローラ露出孔５７が形成されている。オープンガイド５０は、転向ローラ露出孔５７から第３転向ローラ８３の後端近傍を後側へ、すなわち紙幣搬送路１５Ｗ側に露出させた状態で、軸８３Ｘを支持している。またオープン対向ガイド５３における後端よりもやや前側、すなわち第３転向ローラ８３の前上側となる箇所には、上下方向に貫通する対向面通過孔５８が形成されている。
【００７８】
［１−３−２．動作状態におけるテープの走行経路］
次に、一時保留部１５におけるテープ３３（外テープ３３Ｕ及び中テープ３３Ｃ）の走行経路について、図４（Ａ）と対応する図４（Ｂ）及び図７を参照しながらそれぞれ説明する。因みに図７は、一時保留部１５を構成する部品のうちドラム３１、リール３２、テープ３３、第１転向ローラ８１、第２転向ローラ８２及び第３転向ローラ８３並びに紙幣ＢＬを模式的に表した斜視図である。
【００７９】
外テープ３３Ｕは、外リール３２Ｕの外周面における上端近傍を開始点として前斜め下方へ引き出され、第１転向ローラ８１の下端近傍に当接すると、該第１転向ローラ８１により上方へ折り返される。具体的に外テープ３３Ｕは、第１転向ローラ８１の周側面に沿って後下側から矢印Ｒ２方向に進行し、第１経路孔４８を通過した上で、前端近傍から上方へ向かう。
【００８０】
続いて外テープ３３Ｕは、第２転向ローラ８２の前端よりもやや下側に当接すると、該第２転向ローラ８２により上斜め後方へ折り返される。具体的に外テープ３３Ｕは、第２転向ローラ８２の周側面に沿って前端のやや下側から矢印Ｒ２方向（図の反時計回り）に進行し、第２経路孔６８を通過することにより可動ガイド６０の後側から前側へ移った上で、前端のやや上側から上斜め後方へ向かう。これにより外テープ３３Ｕは、ドラム３１の後側において、終了点である周側面３１Ｓに到達する。ドラム３１の周側面３１Ｓに到達した外テープ３３Ｕは、そのドラム側端部が該周側面３１Ｓに固定されている。
【００８１】
一方、中テープ３３Ｃは、中リール３２Ｃから引き出されると、外テープ３３Ｕと同様の走行経路に沿って進行することにより、第１転向ローラ８１及び第２転向ローラ８２により順次折り返された後、ドラム３１の周側面３１Ｓに到達する。続いて中テープ３３Ｃは、周側面３１Ｓに沿って矢印Ｒ１方向へ約３／４周進行すると、該周側面３１Ｓの前下側から一度引き剥がされ、第３転向ローラ８３により折り返された後に再び周側面３１Ｓの後下側に到達する。
【００８２】
具体的に中テープ３３Ｃは、周側面３１Ｓの前下側から一度引き剥がされた後、オープン対向ガイド５３に形成された対向面通過孔５８を通過した上で、第３転向ローラ８３の前下側に当接する。続いて中テープ３３Ｃは、第３転向ローラ８３の周側面に沿って矢印Ｒ１方向へ進行し、転向ローラ露出孔５７を通過してオープン搬送ガイド５２の後側、すなわち紙幣搬送路１５Ｗ内に入り込み、該第３転向ローラ８３の後端近傍から上斜め後方向へ向かう。
【００８３】
これにより中テープ３３Ｃは、ドラム３１の後側において、終了点である周側面３１Ｓに到達する。ドラム３１の周側面３１Ｓに到達した中テープ３３Ｃは、そのドラム側端部が該周側面３１Ｓに固定されている。すなわち中テープ３３Ｃは、外テープ３３Ｕと同様にドラム３１の周側面３１Ｓに一度到達した後、該ドラム３１の周囲を回り第３転向ローラ８３により折り返された上で再び周側面３１Ｓに到達するように、走行経路が形成されている。
【００８４】
このような構成により、一時保留部１５は、前下側に位置する一時保留切替部２０（図３）から受け取った紙幣を収納する場合、図示しない搬送ローラを適宜回転させることによりこの紙幣を紙幣搬送路１５Ｗに沿って上斜め後方へ搬送し、ドラム３１の周側面３１Ｓに近づけていく。これと合わせて一時保留部１５は、ドラム３１を矢印Ｒ１方向（図の時計回り）に回転させることにより、リール３２を矢印Ｒ１方向へ回転させながら該リール３２からテープ３３を順次引き出し、上述した走行経路に沿って順次走行させた後、紙幣搬送路１５Ｗ内を通って周側面３１Ｓに到達させる。そのうえで一時保留部１５は、図７に示したように、紙幣ＢＬを中テープ３３Ｃ及び外テープ３３Ｕにより前後から挟持した状態とし、この紙幣を中テープ３３Ｃ及び外テープ３３Ｕと共にドラム３１の周側面３１Ｓに巻き付けて収納する。
【００８５】
また、一時保留部１５は、収納している紙幣を繰り出す場合、リール３２を矢印Ｒ２方向へ回転させると共にドラム３１を矢印Ｒ２方向へ回転させる。これにより、ドラム３１の周側面３１Ｓに巻き付けられていた紙幣は、該周側面３１Ｓの後端近傍において、中テープ３３Ｃ及び外テープ３３Ｕと共に該周側面３１Ｓから順次引き剥がされ、紙幣搬送路１５Ｗに沿って下斜め前方へ向かう。周側面３１Ｓから引き剥がされた中テープ３３Ｃ及び外テープ３３Ｕは、それぞれの走行経路に沿って収納時と反対方向へ進行した後、中リール３２Ｃ及び外リール３２Ｕにそれぞれ巻き付けられる。また一時保留部１５は、図示しない搬送ローラを適宜回転させることにより、この紙幣を紙幣搬送路１５Ｗに沿って下斜め前方へ搬送し、一時保留切替部２０（図３）に引き渡す。
【００８６】
このように一時保留部１５は、動作状態である場合、リール３２及びドラム３１の周側面３１Ｓの間で第１転向ローラ８１、第２転向ローラ８２及び第３転向ローラ８３等によって適宜折り返される走行経路に沿って、テープ３３を走行させている。
【００８７】
なお説明の都合上、以下では、テープ３３（図４（Ｂ））の走行経路のうちリール３２と第１転向ローラ８１との間、第１転向ローラ８１と第２転向ローラ８２との間、並びに第２転向ローラと周側面３１Ｓにおける後側との間に位置する各部分を、それぞれ第１走行経路Ｙ１、第２走行経路Ｙ２及び第３走行経路Ｙ３と呼ぶ。また以下では、周側面３１Ｓにおける前下側と第３転向ローラ８３との間、及び該第３転向ローラ８３と周側面３１Ｓにおける後側との間に位置する各部分を、それぞれ第４走行経路Ｙ４及び第５走行経路Ｙ５と呼ぶ。
【００８８】
さらに以下では、一時保留部筐体３０に対し後部ユニット４０が装着された動作状態（図４）におけるリールアセンブリ４２及びリール３２、第１転向ローラ８１、並びに第１経路孔４８それぞれの位置を、動作位置と呼ぶ。
【００８９】
［１−４．保守状態］
次に、一時保留部１５において保守作業者により部品交換等の保守作業が行われる保守状態である場合について説明する。ここでは、一時保留部１５が紙幣入出金機１０の上部ユニット１０Ｕ（図２）から取り外され、図示しない作業机の上等に載置されているものとする。
【００９０】
一時保留部１５は、保守状態である場合、図４（Ａ）及び（Ｂ）と対応する図８に示すように、保守作業者により一時保留部筐体３０から後部ユニット４０が後方へ引き出されて取り外され、該一時保留部筐体３０の後側における該一時保留部筐体３０からやや離れた箇所に載置される。これを換言すれば、リールアセンブリ４２及びリール３２、第１転向ローラ８１、並びに第１経路孔４８は、何れも動作位置から変位される。
【００９１】
さらに一時保留部１５では、後部ユニット４０からリールアセンブリ４２が上方へ持ち上げられることにより、該後部ユニット４０から取り外される。因みに後部ユニット４０の側壁部４１における左右の両側部分には、リール軸４３を回転可能に且つ容易に着脱し得るように支持する溝部が形成されている。
【００９２】
このため一時保留部１５では、第１転向ローラ８１の後側、すなわち第１経路孔４８の後側（以下、他方側とも呼ぶ）に、例えば保守作業者がテープ３３を把持した手や指先等を入れて第１経路孔４８に近接させ得る程度の、十分に大きな第１作業空間ＳＣ１が形成される。また一時保留部１５では、第１転向ローラ８１の前側、すなわち第１経路孔４８の前側（以下、一方側とも呼ぶ）に、同様に十分に大きな第２作業空間ＳＣ２が形成される。このとき一時保留部１５では、第１経路孔４８を介して、他方側作業空間としての第１作業空間ＳＣ１と、一方側作業空間としての第２作業空間ＳＣ２とが、仮想的な直線Ｌ１に沿って連通されている。
【００９３】
ところで一時保留部１５では、一時保留部筐体３０から後部ユニット４０が引き出されたことにより、第２転向ローラ８２及び第２経路孔６８の後側には、十分な大きさでなる第３作業空間ＳＣ３が形成されている。また一時保留部１５は、一時保留部筐体３０における後側面３０Ｒやその内側（すなわち前側）に取り付けられている部品等の下端が、第２経路孔６８と同等の高さとなっている。このため保守作業者は、一時保留部筐体３０の後側における下寄りから、具体的には仮想的な直線Ｌ２よりも下側からやや見上げるようにして内部を覗き込んだ場合に、第２経路孔６８を直接目視できる。
【００９４】
さらに一時保留部１５は、保守状態である場合、保守作業者からオープンガイド５０に対し前上方へ持ち上げられるような力が加えられることにより、該オープンガイド５０が動作位置（図４（Ａ））からドラム回転軸３１Ｘを中心として矢印Ｒ２方向に回動される。以下、このときのオープンガイド５０の位置を保守位置と呼ぶ。因みに前側ガイド７０は、リンク軸７２をリンク溝５５内で摺動させながら、回動軸７１を中心として矢印Ｒ２方向へ回動する。このためオープンガイド５０は、図８に示したように、ドラム３１との距離を保ったまま、該ドラム３１の前側に位置した状態となり、その下端を第２経路孔６８よりも上側であり、ドラム３１の下端よりも十分に上側となる高さに位置させている。
【００９５】
これにより一時保留部１５では、第２経路孔６８の前側且つドラム３１の下側に、十分な大きさでなる第４作業空間ＳＣ４が形成される。またオープンガイド５０は、その下端がドラム３１の下端よりも上側にまで持ち上げられている。このため保守作業者は、一時保留部筐体３０の前側における中程若しくは下側から、具体的には仮想的な直線Ｌ３よりも下側から内部を覗き込んだ場合に、第２経路孔６８を直接目視できる。さらにこのとき一時保留部１５では、第１経路孔４８の場合と同様、第２経路孔６８を介して第３作業空間ＳＣ３及び第４作業空間ＳＣ４が仮想的な直線Ｌ４に沿って連通されている。
【００９６】
また一時保留部１５では、オープンガイド５０が保守位置に回動されたことにより、オープン搬送ガイド５２、第３転向ローラ８３及び転向ローラ露出孔５７を下方に向けると共に、その下側に十分な大きさの第５作業空間ＳＣ５が形成されている。
【００９７】
因みに一時保留部１５は、これらの挿通作業がテープ３３の上流側から順次行われ、各テープ３３の先端（ドラム側端部）がドラム３１の周側面３１Ｓに固定された後、保守状態（図８）から運用状態（図４）に戻される。具体的に一時保留部１５は、リールアセンブリ４２が後部ユニット４０に装着され、該後部ユニット４０が一時保留部筐体３０の後部に装着されると共に、オープンガイド５０が保守位置から運用位置へ回動される。またこのとき一時保留部１５では、リール３２又はドラム３１が保守作業者の手作業によって（すなわち手動で）回転されることにより、テープ３３の弛みが適宜解消される。
【００９８】
［１−５．テープ設置作業及び効果］
以上の構成において、第１の実施の形態による現金自動預払機１の一時保留部１５は、一時保留部筐体３０に対し後部ユニット４０を着脱可能とし、該後部ユニット４０に対しリールアセンブリ４２を着脱可能とし、さらにオープンガイド５０を回動可能とすることにより、動作状態（図４）又は保守状態（図８）へ遷移し得るようにした。
【００９９】
ここでは、一時保留部１５からテープ３３が一度取り外された状態において、保守作業者により、リール３２から引き出されたテープ３３を走行経路（図４（Ｂ）及び図７）に沿ってドラム３１の周側面３１Ｓに到達させるよう設置するテープ設置作業が行われる場合について説明する。また以下では、説明の都合上、テープ３３の走行経路に関して、リール３２側を上流側と呼び、ドラム３１側を下流側と呼ぶ。
【０１００】
一時保留部１５では、保守作業者によりテープ設置作業が行われる場合、動作状態（図４）から保守状態（図８）に遷移される。具体的に一時保留部１５では、一時保留部筐体３０から後部ユニット４０が後方へ引き出され、さらに該後部ユニット４０からリールアセンブリ４２が取り外される。さらに一時保留部１５では、オープンガイド５０が保守位置へ回動される。
【０１０１】
この保守状態（図８）において、一時保留部１５では、第１経路孔４８の後側でありテープ３３の走行経路に関する上流側に、比較的に大きい第１作業空間ＳＣ１が形成されている。このため保守作業者は、例えばリール３２から十分な長さのテープ３３を引き出した上で、その先端近傍を把持した指先等を、この第１作業空間ＳＣ１を介して、第１経路孔４８の近傍に容易に到達させ、さらに該第１経路孔４８内へ確実に挿入させることができる。
【０１０２】
また一時保留部１５では、第１経路孔４８を介して第１作業空間ＳＣ１及び第２作業空間ＳＣ２を仮想的な直線Ｌ１に沿って互いに連通させている。このため保守作業者は、テープ３３を第１経路孔４８内で屈曲させる等の困難な作業を行うこと無く、該テープ３３を自然な形状のまま、すなわち概ね直線状のまま該第１経路孔４８へ挿通させるだけで、その先端部分を該第１経路孔４８の反対側である前側に突出させることができる。
【０１０３】
さらに一時保留部１５では、第１経路孔４８の前側でありテープ３３の走行経路に関する下流側に、十分に大きい第２作業空間ＳＣ２が形成されている。このため保守作業者は、この第２作業空間ＳＣ２を介して、第１経路孔４８を前側から目視しながら指先等を該第１経路孔４８の近傍に到達させることができ、該第１経路孔４８から僅かに突出しているテープ３３の先端部分を容易に且つ確実に把持できる。
【０１０４】
すなわち保守作業者は、リール３２から十分な長さのテープ３３を引き出した上で、その先端近傍を一方の手により把持し、第１作業空間ＳＣ１が形成された後側から該テープ３３の先端を第１経路孔４８に挿通させ、挿通された該テープ３３の先端を、第２作業空間ＳＣ２が形成された前側において、もう一方の手により直ちに把持できる。
【０１０５】
これにより一時保留部１５では、保守作業者に対し、例えば第１経路孔４８を目視し得ない状態や該第１経路孔４８の近傍に指先等を近接させ得ない状態、或いは第１経路孔４８内でテープ３３を屈曲させる必要がある状態と比較して、挿通作業を極めて容易に、且つ短い時間で行わせることができる。すなわち一時保留部１５では、第１経路孔４８への挿通作業において、特別な治具を用いる必要無く、複雑な作業や熟練を要する作業も必要とせず、保守作業者に比較的単純な作業を行わせるだけで良いため、その作業性を格段に高めることができる。
【０１０６】
これと同様に、一時保留部１５では、保守状態において、第２経路孔６８の上流側である後側に比較的に大きい第３作業空間ＳＣ３を形成する。このため保守作業者は、この第３作業空間ＳＣ３を利用することにより、第２経路孔６８を後側から目視しながら、テープ３３の先端近傍を把持した指先等を該第２経路孔６８の近傍に容易に到達させ、さらに該第２経路孔６８内へ確実に挿入させることができる。
【０１０７】
また一時保留部１５では、第１経路孔４８の場合と同様に、第２経路孔６８を介して第３作業空間ＳＣ３及び第４作業空間ＳＣ４を仮想的な直線Ｌ４に沿って互いに連通させている。このため保守作業者は、テープ３３を第２経路孔６８内で屈曲させる等の困難な作業を必要とすること無く、該テープ３３を自然な形状のまま該第２経路孔６８へ挿通させるだけで、その先端部分を該第２経路孔６８の反対側、すなわち前側に突出させることができる。
【０１０８】
さらに一時保留部１５では、第２経路孔６８の下流側である前側に十分に大きい第４作業空間ＳＣ４を形成する。このため保守作業者は、この第２経路孔６８を前側から目視しながら指先等を該第２経路孔６８の近傍に到達させることができ、該第２経路孔６８から僅かに突出しているテープ３３の先端部分を容易に且つ確実に把持できる。すなわち一時保留部１５では、第２経路孔６８についても、第１経路孔４８の場合と同様に、挿通作業を極めて容易に、且つ短い時間で行わせることができ、その作業性を格段に高め得る。
【０１０９】
これを他の観点から見ると、一時保留部１５では、紙幣を紙幣搬送路１５Ｗに沿って搬送した上でその両面をテープ３３により挟持した状態でドラム３１の周側面３１Ｓに巻き付け、或いは該周側面３１Ｓから紙幣及びテープ３３を引き剥がした後に該紙幣を紙幣搬送路１５Ｗに沿って搬送する、といった本来的な動作を確実に行う必要がある。その一方で一時保留部１５は、一時保留部筐体３０をできるだけ小型に構成することにより、紙幣入出金機１０や現金自動預払機１の小型化に寄与させたい、という要求がある。
【０１１０】
そこで一時保留部１５では、テープ３３の進行方向を転向ローラによって適宜折り返すような走行経路を形成することにより、他の部品同士の隙間等を利用して該テープ３３を走行させることが可能となる。これに伴い一時保留部１５では、テープ３３の走行経路が比較的複雑なものとなる。
【０１１１】
具体的に一時保留部１５では、動作状態（図４（Ｂ））におけるテープ３３の進行方向を、第１走行経路Ｙ１では前斜め下方向とし、第１転向ローラ８１により９０度近く折り返された第２走行経路Ｙ２では上斜め前方向とし、さらに第２転向ローラ８２により３０度程度折り返された第３走行経路Ｙ３では上斜め後方向としている。
【０１１２】
ここで、仮に一時保留部１５において第１転向ローラ８１を一時保留部筐体３０側に設け、リールアセンブリ４２のみを該一時保留部筐体３０から後方や下方へ取り外し得るように構成した場合、第１経路孔４８の後側から挿入したテープ３３の先端を上方へ屈曲させて第２経路孔６８へ到達させる、といった極めて困難な挿通作業が必要となってしまう。
【０１１３】
これに対し本実施の形態による一時保留部１５では、動作状態（図４）及び保守状態（図８）の間において、第１経路孔４８及び第２経路孔６８の相対的な位置関係を変化させ、該第１経路孔４８及び該第２経路孔６８を互いに遠ざけるようにした。
【０１１４】
このため一時保留部１５では、保守状態において、第１経路孔４８の後側からテープ３３をほぼ直進させるようにしてその先端部分を該第１経路孔４８の前側へ挿通させた段階で一度保守作業者に把持させれば良く、該テープ３３を直ちに上方へ屈曲させる必要が無い。すなわち一時保留部１５では、保守作業者が、第１経路孔４８に挿通されたテープ３３を該第１経路孔４８から十分に長く引き出した上で、その先端近傍を前上方へ移動させて第２経路孔６８の後側近傍まで到達させれば良い。
【０１１５】
これを換言すれば、一時保留部１５では、保守作業者が、テープ３３の先端近傍を把持した状態で、十分な大きさを有する第２作業空間ＳＣ２及び第３作業空間ＳＣ３を利用して、第１経路孔４８の前側（下流側）から第２経路孔６８の後側（上流側）へ持ち上げれば良い。
【０１１６】
一時保留部１５では、挿通作業の終了後に保守状態（図８）から動作状態（図４）へ戻される場合に、保守作業者によって後部ユニット４０が一時保留部筐体３０に装着されることにより、第１転向ローラ８１及び第１経路孔４８がそれぞれ動作位置に戻る。このとき一時保留部１５では、保守作業者によってドラム３１やリール３２等が手動で回転されることによりテープ３３の弛みが解消され、これにより第１経路孔４８の下流側において該テープ３３が第２走行経路Ｙ２（図４（Ｂ））に沿って張架される。すなわち一時保留部１５では、保守作業者に対しテープ３３を第２走行経路Ｙ２に沿わせるための作業を敢えて行わせる必要が無い。
【０１１７】
また一時保留部１５では、第２経路孔６８についても、保守状態において、その後側からテープ３３をほぼ直進させるようにしてその先端部分を該第２経路孔６８の前側へ挿通させた段階で一度保守作業者に把持させれば良く、該テープ３３を直ちに上斜め後方へ屈曲させる必要が無い。すなわち一時保留部１５では、第２経路孔６８に挿通されたテープ３３の先端近傍をドラム３１の周側面３１Ｓにおける下側部分に固定した上で、該ドラム３１を矢印Ｒ１方向へ回転させることにより、第２経路孔６８の下流側において該テープ３３を第３走行経路Ｙ３に沿わせることができる。
【０１１８】
これを他の観点から見れば、一時保留部１５では、保守作業者に対し、テープ３３を第２経路孔６８に挿通させる挿通作業と、該第２経路孔６８を通過したテープ３３を第３走行経路Ｙ３に沿わせる作業とを、それぞれ独立した作業として段階的に行わせることができる。これにより一時保留部１５では、保守作業者に対し単純且つ容易な複数の作業を順次行わせるだけで、最終的にテープ３３を比較的複雑な走行経路に沿って設置させることができる。
【０１１９】
さらに一時保留部１５は、保守状態（図８）において、オープンガイド５０が保守位置に回動されたことにより、転向ローラ露出孔５７の下側に十分な大きさの第５作業空間ＳＣ５が形成されている。これにより保守作業者は、転向ローラ露出孔５７を下側から視認し得ると共に直近まで手を近づけることができ、中テープ３３Ｃを対向面通過孔５８及び転向ローラ露出孔５７に挿通させる挿通作業を短時間で完了できる。
【０１２０】
そのうえ一時保留部１５では、リールアセンブリ４２（図５）において、リール軸４３に対し３個のリールユニット４５をそれぞれ着脱可能に構成した。そのうえで一時保留部１５では、各リールユニット４５において、リール取付部４６に対しリール３２を着脱可能に構成した。
【０１２１】
このため一時保留部１５では、例えば１本のテープ３３が損傷したものの他の２本のテープ３３が使用可能である場合、保守作業者によりリールアセンブリ４２ごと交換され、各テープ３３の挿通作業が行われる。このとき取り外されたリールアセンブリ４２は、保守作業者により保守センター等へ持ち込まれ、損傷したテープ３３が巻き付けられたリールユニット４５のみが取り外される。
【０１２２】
また取り外されたリールユニット４５は、損傷したテープ３３が巻回されているリール３２がリール取付部４６から取り外され、これに代えて、正常なテープが巻回されたリール３２が該リール取付部４６に装着され、正常なリールユニット４５として再生される。再生されたリールユニット４５は、元のリールアセンブリ４２に装着され、正常なリールアセンブリ４２として再生される。
【０１２３】
すなわちリールアセンブリ４２では、他の部品と比較してテープ３３が損傷する可能性が高いところ、各部がそれぞれ着脱され、損傷したテープ３３が巻き付けられたリール３２が交換されることにより、トルクリミッタが組み込まれたリール取付部４６等を有効に再利用することができる。
【０１２４】
以上の構成によれば、第１の実施の形態による現金自動預払機１の一時保留部１５は、保守状態（図８）において、第１経路孔４８及び第２経路孔６８の上流側及び下流側にそれぞれ十分に大きい空間を形成すると共に、該第１経路孔４８及び第２経路孔６８を介して上流側及び下流側の空間をそれぞれ直線的に連通させた。このため保守作業者は、第１経路孔４８及び第２経路孔６８を前側又は後側から目視しながら指先等をその近傍に到達させ、テープ３３の先端部分を容易に且つ確実に挿通させることができる。これにより一時保留部１５では、保守作業者による第１経路孔４８及び第２経路孔６８に対するテープ３３の挿通作業を極めて短い時間で完了させることができる。
【０１２５】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、一時保留部１５に代わる一時保留部１１５を有する点において相違するものの、他の点については同様に構成されている。
【０１２６】
一時保留部１１５は、図８と対応する図９に保守状態を示すように、後部ユニット４０及びオープンガイド５０に代わる後部ユニット１４０及びオープンガイド１５０を有する点において相違するものの、他の点については同様に構成されている。
【０１２７】
後部ユニット１４０は、側壁部４１と対応する側壁部１４１のうち、左右両側面における前端近傍には、第１転向ローラ８１を回転可能且つ着脱可能に支持する転向ローラ支持部１４１Ａが設けられている。このため第１転向ローラ８１は、リールアセンブリ４２と同様に、後部ユニット１４０の側壁部１４１から上方へ持ち上げられることにより、該後部ユニット１４０から取り外される。この結果、後部ユニット１４０の第１経路孔４８は、上側が開放された溝状となる。
【０１２８】
例えば一時保留部１１５では、この第１経路孔４８に対するテープ３３の挿通作業が行われる場合、まず後部ユニット１４０からリールアセンブリ４２及び第１転向ローラ８１が取り外される。次に一時保留部１１５では、図中に実線で示したように、保守作業者により第１経路孔４８の上側に持ち上げられたリールアセンブリ４２のリール３２から、テープ３３が十分に長く、すなわち第１経路孔４８よりも前方まで引き出される。
【０１２９】
続いて一時保留部１１５では、図中に破線で示すように、リールアセンブリ４２及びテープ３３が下方へ降ろされ、該リールアセンブリ４２が後部ユニット１４０に装着される。これによりテープ３３は、上側が開放されて溝状になっている第１経路孔４８を前後方向に横切る状態となる。
【０１３０】
さらに一時保留部１１５では、保守作業者により第１転向ローラ８１が転向ローラ支持部１４１Ａに装着される。これにより一時保留部１１５では、第１経路孔４８の上側が再び閉塞され、且つテープ３３が該第１経路孔４８に挿通された状態となり、挿通作業が完了する。すなわち一時保留部１１５では、保守作業者にテープ３３の先端孔を第１経路孔４８の後側から前側へ挿通させる、といった作業を行わせる必要が無い。
【０１３１】
一方、オープンガイド１５０は、第１の実施の形態によるオープンガイド５０と比較して、第３転向ローラ８３の周辺に第３転向ローラ周辺部１５９が設けられている点において相違するものの、他の点については同様に構成されている。第３転向ローラ周辺部１５９は、保守位置にあるオープンガイド１５０の後下側部分、すなわちオープン搬送ガイド５２の後端近傍、オープン対向ガイド５３の下端近傍及び第３転向ローラ８３により構成されており、オープンガイド１５０に対し着脱可能に構成されている。
【０１３２】
一時保留部１１５では、保守状態において、第３転向ローラ周辺部１５９が取り外された場合、転向ローラ露出孔５７における後ろ側の部分及び対向面通過孔５８における下側の部分が、いずれも開放された状態、すなわち第１転向ローラ８１が取り外された場合の第１経路孔４８と同様に、溝状となる。
【０１３３】
例えば一時保留部１１５では、転向ローラ露出孔５７に対するテープ３３の挿通作業が行われる場合、保守作業者により、まずオープンガイド１５０から第３転向ローラ周辺部１５９が取り外される。次に一時保留部１１５では、保守作業者により、リール３２から引き出したテープ３３が第１経路孔４８及び第２経路孔６８に順次挿通される。
【０１３４】
続いて一時保留部１１５では、保守作業者により、第２経路孔６８から前側へ引き出されたテープ３３（中テープ３３Ｃ）が、ドラム３１の周側面３１Ｓに沿って矢印Ｒ１方向へ引き回されて前下側に到達した後、下方へ引き出される。その後一時保留部１１５では、テープ３３の後側から第３転向ローラ周辺部１５９がオープンガイド１５０に装着される。
【０１３５】
これにより一時保留部１１５では、テープ３３が対向面通過孔５８及び転向ローラ露出孔５７を順次横切った状態、すなわち該対向面通過孔５８及び該転向ローラ露出孔５７に挿通された状態となり、挿通作業が完了する。すなわち一時保留部１１５では、保守作業者にテープ３３の先端孔を対向面通過孔５８及び転向ローラ露出孔５７に順次通すようにして挿通させる、といった作業を行わせる必要が無い。
【０１３６】
以上の構成によれば、第２の実施の形態による現金自動預払機１０１の一時保留部１１５は、第１の実施の形態による一時保留部１５と同様の構成に加えて、後部ユニット１４０に対し第１転向ローラ８１を着脱可能に構成すると共に、オープンガイド１５０に対し第３転向ローラ周辺部１５９を着脱可能に構成した。これにより一時保留部１１５は、保守作業者に対し第１経路孔４８や転向ローラ露出孔５７等に対しテープ３３の先端を挿通させる作業を行わせること無く、極めて短い時間で挿通作業を完了させることができる。
【０１３７】
［３．他の実施の形態］
なお上述した第１の実施の形態においては、保守状態（図８）において、第１経路孔４８の下流側に第２作業空間ＳＣ２を形成すると共に、その上流側に第１作業空間ＳＣ１を形成する場合について述べた。しかしながら本発明はこれに限らず、例えば下流側には第２作業空間ＳＣ２を形成するものの、リール軸４３を後部ユニット４０の側壁部４１から離脱し得ないように構成して上流側に第１作業空間ＳＣ１を形成しないようにしても良い。要は、テープ３３を第１経路孔４８に挿通させる場合に、その上流側又は下流側の少なくとも一方に、保守作業者が該テープ３３を把持し得るような作業空間を形成できれば良い。これにより、第１経路孔４８に挿通する直前又は直後のテープ３３を保守作業者に直接把持させることができるので、挿通作業を容易化でき、作業時間を短縮できる。第２経路孔６８についても同様であり、さらには第２の実施の形態についても同様である。
【０１３８】
また上述した第１の実施の形態においては、保守状態（図８）において、第１経路孔４８を介して第１作業空間ＳＣ１及び第２作業空間ＳＣ２を直線Ｌ１に沿って、すなわち直線的に連通させる場合について述べた。しかしながら本発明はこれに限らず、例えば第１経路孔４８を介して第１作業空間ＳＣ１及び第２作業空間ＳＣ２を曲線状や折れ線状に連通させることにより、テープ３３を直線状としている場合には挿通し得ないようにしても良い。この場合、保守作業者は、例えばテープ３３を第１経路孔４８の内側面に沿って摺動させるよう進行させる等して湾曲させながら挿通させれば良い。第２経路孔６８においても同様であり、また第２の実施の形態についても同様である。
【０１３９】
さらに上述した第１の実施の形態においては、テープ３３を折り返す第１転向ローラ８１の周側面とその周囲に配置された部材との間に第１経路孔４８を形成し、保守状態において、この第１経路孔４８における上流側及び下流側に第１作業空間ＳＣ１及び第２作業空間ＳＣ２を形成する場合について述べた（図８）。しかしながら本発明はこれに限らず、例えば動作状態において板状の部材を貫通する貫通孔を通るようにテープ３３の走行経路を形成した場合に、保守状態において、この貫通孔の上流側及び下流側にそれぞれ作業空間を形成しても良い。第２の実施の形態についても同様である。
【０１４０】
さらに上述した第１の実施の形態においては、一時保留部１５の一時保留部筐体３０に対し後部ユニット４０を着脱し得るように構成する場合について述べた。しかしながら本発明はこれに限らず、例えば一時保留部筐体３０に対し周知のスライドレールを介して後部ユニット４０を取り付けるように構成し、或いは所定の軸を中心に回動するように構成する等、一時保留部筐体３０に対する後部ユニット４０の相対的な位置を変化させるものの、完全には分離しないように構成しても良い。第２の実施の形態についても同様である。
【０１４１】
さらに上述した実施の形態においては、一時保留部筐体３０に対しオープンガイド５０を動作位置（図４）から保守位置（図８）へ回動させることにより第４作業空間ＳＣ４及び第５作業空間ＳＣ５を形成する場合について述べた。しかしながら本発明はこれに限らず、例えば一時保留部筐体３０に対しオープンガイド５０を着脱可能に構成し、或いはドラム３１に離接する方向へ直線的に移動（スライド）させるように構成する等、種々の機構によりオープンガイド５０を保守位置へ移動させて第４作業空間ＳＣ４及び第５作業空間ＳＣ５を形成するようにしても良い。第２の実施の形態についても同様である。
【０１４２】
さらに上述した第１の実施の形態においては、後部ユニット４０にリールアセンブリ４２、第１転向ローラ８１及び第１経路孔４８を設け、一時保留部筐体３０から後部ユニット４０を取り外すことにより、これらをまとめて第２経路孔６８から同時に引き離す場合について述べた。しかしながら本発明はこれに限らず、例えば一時保留部筐体３０に対しリールアセンブリ４２や第１転向ローラ８１等をそれぞれ単独で着脱させるようにしても良い。第２の実施の形態についても同様である。
【０１４３】
さらに上述した第１の実施の形態においては、３個のリールユニット４５を含むリールアセンブリ４２（図５）を後部ユニット４０に対し着脱させることにより、該後部ユニット４０から３個のリールユニット４５を同時に着脱させる場合について述べた。しかしながら本発明はこれに限らず、例えば後部ユニット４０に対し各リールユニット４５を１個ずつ着脱させるようにしても良い。第２の実施の形態についても同様である。
【０１４４】
さらに上述した第１の実施の形態においては、一時保留部１５において３本のテープ３３を用いて紙幣をドラム３１の周側面３１Ｓに巻き付ける場合について述べた。しかしながら本発明はこれに限らず、２本以下又は４本以上のテープ３３を用いて紙幣を周側面３１Ｓに巻き付けるようにしても良い。第２の実施の形態についても同様である。
【０１４５】
さらに上述した第１の実施の形態においては、一時保留部１５において３個のリール３２を同軸上に配置し、各リールユニット４５を共通のリール軸４３に挿通させる場合について述べた（図４、図５）。しかしながら本発明はこれに限らず、例えば中リール３２Ｃを外リール３２Ｕと異なる軸上に配置する等、種々の配置としても良い。第２の実施の形態についても同様である。
【０１４６】
さらに上述した第１の実施の形態においては、所定のモータからの回転駆動力を伝達するリール駆動ギア３４を一時保留部筐体３０の右側に設け、動作状態（図４）において該リール駆動ギア３４をリールアセンブリ４２のギア４４と噛み合わせることにより各リール３２に駆動力を伝達する場合について述べた。しかしながら本発明はこれに限らず、例えば内側に歯が形成されており所定のモータからの駆動力を伝達する駆動ベルトを一時保留部筐体３０の右側に設けると共に、リールアセンブリ４２のギア４４をこの駆動ベルト用の歯型に合わせたプーリ（図示せず）に交換し、この駆動ベルトをプーリに掛け回すことにより駆動力を伝達しても良い。この構成では、一時保留部筐体３０から後部ユニット４０を離脱する場合に駆動ベルトをプーリから外し、該一時保留部筐体３０に該後部ユニット４０を装着する場合に駆動ベルトを再びプーリに掛け回せば良い。またこの構成では、駆動ベルトの走行経路の近傍に、該駆動ベルトの移動範囲を規制する規制部材を配置することにより、該駆動ベルトがプーリから外されて張力が作用していない場合に、完全に外れてしまうことを回避できる。第２の実施の形態についても同様である。
【０１４７】
さらに上述した第１の実施の形態においては、顧客との間で媒体としての紙幣に関する取引処理を行う現金自動預払機１の紙幣入出金機１０において、顧客から入金された紙幣を一時的に収納する一時保留部１５に本発明を適用する場合について述べた。しかしながら本発明はこれに限らず、例えば各種金券や証券等、或いは入場券や乗車券のような種々の紙葉状の媒体を取り扱う種々の装置において、テープと共に当該媒体をドラムに巻き付けて一時的に収納する種々の一時保留部に本発明を適用しても良い。第２の実施の形態についても同様である。
【０１４８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１４９】
さらに上述した第１の実施の形態においては、ドラムとしてのドラム３１と、テープとしてのテープ３３と、リールとしてのリール３２と、転向ローラとしての第１転向ローラ８１、第２転向ローラ８２及び第３転向ローラ８３と、経路孔としての第１経路孔４８、第２経路孔６８及び転向ローラ露出孔５７と、変位支持部としての後部ユニット４０とによって媒体収納装置としての一時保留部１５を構成する場合について述べた。しかしながら本発明はこれに限らず、その他種々の構成でなるドラムと、テープと、リールと、転向ローラと、経路孔と、変位支持部とによって媒体収納装置を構成しても良い。
【産業上の利用可能性】
【０１５０】
本発明は、例えば紙幣のような紙葉状の媒体をテープと共にドラムに巻き付けて収納する種々の装置で利用できる。
【符号の説明】
【０１５１】
１、１０１……現金自動預払機、１０、１１０……紙幣入出金機、１３……搬送部、１５、１１５……一時保留部、１５Ｗ……紙幣搬送路、３０……一時保留部筐体、３１……ドラム、３１Ｓ……周側面、３１Ｘ……ドラム回転軸、３２……リール、３３……テープ、４０、１４０……後部ユニット、４１、１４１……側壁部、４２……リールアセンブリ、４３……リール軸、４５……リールユニット、４６……リール取付部、４８……第１経路孔、５０、１５０……オープンガイド、５２……オープン搬送ガイド、５７……転向ローラ露出孔、５８……対向面通過孔、６０……可動ガイド、６７……転向ローラ保持孔、６８……第２経路孔、８１……第１転向ローラ、８２……第２転向ローラ、８３……第３転向ローラ、１４１Ａ……転向ローラ支持部、１５９……第３転向ローラ周辺部、ＳＣ１……第１作業空間、ＳＣ２……第２作業空間、ＳＣ３……第３作業空間、ＳＣ４……第４作業空間、ＳＣ５……第５作業空間、Ｙ１……第１走行経路、Ｙ２……第２走行経路、Ｙ３……第３走行経路、Ｙ４……第４走行経路、Ｙ５……第５走行経路。
【図１】
2018005753.tif 000003
【図２】
2018005753.tif 000004
【図３】
2018005753.tif 000005
【図４】
2018005753.tif 000006
【図５】
2018005753.tif 000007
【図６】
2018005753.tif 000008
【図７】
2018005753.tif 000009
【図８】
2018005753.tif 000010
【図９】
2018005753.tif 000011